(57)【特許請求の範囲】
【請求項１】
キー入力部及び表示部を有し、マルチメディアデータを復調して再生可能な移動端末機と、前記移動端末機の外部に取付けられ、アンテナからＤＭＢデータを受信するＤＭＢパッケージとにおいて、
前記ＤＭＢパッケージは、
前記ＤＭＢデータを受信するＤＭＢ信号受信部と、
前記ＤＭＢ信号受信部で受信したＤＭＢデータから、ＤＭＢにおけるマルチメディアデータと、チャンネル構成情報とを分類するＤＭＢ信号解析部と、
前記ＤＭＢ信号受信部から受信されたＤＭＢデータから分類された前記ＤＭＢにおけるマルチメディアデータを、前記移動端末機が再生可能なマルチメディアデータ形式に変換するＤＭＢデータ変換部と、
前記移動端末機に整合され、前記移動端末機とインターフェーシングを行うようにするＤＭＢパッケージインターフェース部と、
前記ＤＭＢ信号受信部及び前記ＤＭＢデータ変換部と連結されるとともに、前記ＤＭＢ信号受信部及びＤＭＢデータ変換部を制御して、該制御に従って受信されたＤＭＢデータを、前記移動端末機が再生可能なマルチメディアデータ形式に変換し、前記ＤＭＢパッケージインターフェース部を介して前記移動端末機に出力するように制御するＤＭＢパッケージ制御部と、を備え、
前記ＤＭＢパッケージは、さらに
前記ＤＭＢデータから分類された前記ＤＭＢにおけるマルチメディアデータを前記移動端末機が再生可能なマルチメディアデータ形式に変換するための変換情報を格納したＤＭＢパッケージメモリ部と、
前記情報データを受信して、ユーザーの選択に従う情報データを抽出する処理をデータカルーセル方式で行うデータカルーセル受信処理部と、を含み、
前記ＤＭＢ信号解析部は、前記ＤＭＢデータから、前記ＤＭＢデータの情報データを抽出し、前記ＤＭＢデータから、前記チャンネル別放送プログラム情報を抽出し、
前記ＤＭＢパッケージが、前記移動端末機が再生可能なマルチメディアデータ形式に関する情報を受信し、受信されたデータ形式に従って前記ＤＭＢデータを変換するように設定されていることを特徴とするＤＭＢパッケージ。
【請求項２】
前記ＤＭＢパッケージは、前記移動端末機のキー入力部からチャンネル情報の入力を受け、前記キー入力信号に従うチャンネルのＤＭＢデータを受信するように、前記ＤＭＢ信号受信部を制御するチャンネル設定部をさらに備えることを特徴とする請求項１に記載のＤＭＢパッケージ。
【請求項３】
前記ＤＭＢデータ変換部は、前記ＤＭＢデータのビデオデータを、前記移動端末機が再生可能なビデオデータ形式に変換するビデオデータ変換部を備えることを特徴とする請求項１に記載のＤＭＢパッケージ。
【請求項４】
前記ＤＭＢデータ変換部は、前記ＤＭＢデータが衛星波ＤＭＢの場合、前記衛星波ＤＭＢ規格に従うビデオデータ形式であるＨ.２６４データ形式を、ＭＰＥＧ−４データ形式に変換して、前記移動端末機に入力することを特徴とする請求項３に記載のＤＭＢパッケージ。
【請求項５】
前記ＤＭＢデータ変換部は、ＤＭＢデータのオーディオデータを、前記移動端末機が再生可能なオーディオデータ形式に変換するオーディオデータ変換部をさらに備えることを特徴とする請求項３に記載のＤＭＢパッケージ。
【請求項６】
前記移動端末機と前記ＤＭＢパッケージとが通信可能に適合し、前記移動端末機と前記ＤＭＢパッケージとが互いにインターフェーシングされるようにするＤＭＢパッケージソフトウェアが、前記移動端末機に設置されているか否かを判別するＤＭＢパッケージソフトウェア設置判別部をさらに備えることを特徴とする請求項１に記載のＤＭＢパッケージ。
【請求項７】
前記ＤＭＢパッケージソフトウェアは、前記移動端末機がデータ放送において放送されるデータである前記ＤＭＢデータの情報データ及びチャンネル別放送プログラム情報をパッシングし、これを画像情報として出力できるようにすることを特徴とする請求項６に記載のＤＭＢパッケージ。
【請求項８】
前記ＤＭＢパッケージソフトウェア設置判別部は、前記ＤＭＢパッケージソフトウェアを設置できるＤＭＢパッケージソフトウェア設置データを備え、前記ＤＭＢパッケージ制御部の制御に従い、前記ＤＭＢパッケージソフトウェアを前記移動端末機に設置することを特徴とする請求項１又は請求項７に記載のＤＭＢパッケージ。
【請求項９】
前記ＤＭＢパッケージは、前記移動端末機が再生可能なマルチメディアデータ形式情報を受信し、前記データ形式情報に従うデータ形式に前記ＤＭＢデータを変換できるか否かを確認するデータ変換可否確認部をさらに備えることを特徴とする請求項１に記載のＤＭＢパッケージ。
【請求項１０】
前記ＤＭＢデータ変換部は、前記ＤＭＢデータのビデオデータを一般の移動通信端末機で再生できるビデオデータの形式の何れか一つに変換することを特徴とする請求項９に記載のＤＭＢパッケージ。
【請求項１１】
前記ＤＭＢパッケージ制御部は、前記移動端末機が再生可能なマルチメディアデータ形式情報を受信した結果、前記ＤＭＢデータのビデオデータ及びオーディオデータの何れか一つが、前記移動端末機が再生可能な形式のデータ形式を持っている場合、前記移動端末機が再生可能な形式のデータ形式を持っていないものだけを前記移動端末機が再生可能なデータ形式に変換して、前記移動端末機に入力することを特徴とする請求項９に記載のＤＭＢパッケージ。
【請求項１２】
前記ＤＭＢパッケージ制御部は、前記移動端末機が再生可能なマルチメディアデータ形式情報を受信した結果、前記ＤＭＢデータのビデオデータ及びオーディオデータが前記データ形式情報に従うデータ形式を持っている場合、前記ＤＭＢ信号受信部から受信されたＤＭＢデータを変換することなく、前記移動端末機に入力することを特徴とする請求項９に記載のＤＭＢパッケージ。
【請求項１３】
キー入力部及び表示部を有し、マルチメディアデータを復調して再生可能な移動端末機本体と、前記移動端末機の外部に取付けられ、アンテナからＤＭＢデータを受信してこれを前記移動端末機で再生可能なデータ形式に変換するＤＭＢパッケージとを有する移動端末機において、
前記ＤＭＢパッケージは、前記ＤＭＢデータを受信するＤＭＢ信号受信部と、前記ＤＭＢ信号受信部で受信したＤＭＢデータから、ＤＭＢにおけるマルチメディアデータと、チャンネル構成情報とを分類するＤＭＢ信号解析部と、前記ＤＭＢ信号受信部から受信されたＤＭＢデータから分類された前記ＤＭＢにおけるマルチメディアデータを、前記移動端末機が再生可能なマルチメディアデータ形式に変換するＤＭＢデータ変換部と、前記移動端末機に整合され、前記移動端末機とインターフェーシングを行うようにするＤＭＢパッケージインターフェース部と、前記ＤＭＢ信号受信部及び前記ＤＭＢデータ変換部と連結されるとともに、前記ＤＭＢ信号受信部及びＤＭＢデータ変換部を制御して、該制御に従って受信されたＤＭＢデータを、前記移動端末機が再生可能なマルチメディアデータ形式に変換し、前記ＤＭＢパッケージインターフェース部を介して前記移動端末機に出力するように制御するＤＭＢパッケージ制御部と、前記ＤＭＢデータから分類された前記ＤＭＢにおけるマルチメディアデータを前記移動端末機が再生可能なマルチメディアデータ形式に変換するための変換情報を格納したＤＭＢパッケージメモリ部と、前記情報データを受信して、ユーザーの選択に従う情報データを抽出する処理をデータカルーセル方式で行うデータカルーセル受信処理部と、を含み、前記ＤＭＢ信号解析部は、前記ＤＭＢデータから、前記ＤＭＢデータの情報データを抽出し、前記ＤＭＢデータから、前記チャンネル別放送プログラム情報を抽出し、前記移動端末機が再生可能なマルチメディアデータ形式に関する情報を受信し、受信されたデータ形式に従って前記ＤＭＢデータを変換するように設定されており、
前記移動端末機本体は、
複数のキーを備えたキー入力部と、
画像情報を出力するための表示部と、
可聴信号を出力するための可聴音出力部と、
前記ＤＭＢパッケージとインターフェーシングを行うようにする端末機インターフェース部と、
前記キー入力部からキーが入力されれば、前記入力されたキーに従うキー入力信号を、前記端末機インターフェース部を介して前記ＤＭＢパッケージに入力し、前記ＤＭＢパッケージから前記ＤＭＢデータの入力を受け、これを再生する端末機制御部と、を備えることを特徴とする移動端末機。
【請求項１４】
前記移動端末機本体は、前記移動端末機本体と前記ＤＭＢパッケージとが互換され、前記移動端末機本体と前記ＤＭＢパッケージとが互いにインターフェーシングされるようにするＤＭＢパッケージソフトウェアが格納されるメモリ部をさらに備えることを特徴とする請求項１３に記載の移動端末機。
【請求項１５】
前記移動端末機制御部は、ユーザーから前記ＤＭＢのチャンネル別放送プログラム情報の出力のためのキーが入力される場合、前記ＤＭＢパッケージから前記チャンネル別放送プログラム情報を受信し、これを前記ＤＭＢパッケージソフトウェアを用いて前記チャンネル別放送プログラム情報をパッシングした後、画像情報として出力することを特徴とする請求項１４に記載の移動端末機。
【請求項１６】
前記移動端末機制御部は、ユーザーから前記ＤＭＢの情報データの出力のためのキーが入力される場合、前記ＤＭＢパッケージから前記情報データを受信し、前記ＤＭＢパッケージソフトウェアを用いて前記情報データを画像情報として出力することを特徴とする請求項１４に記載の移動端末機。
【請求項１７】
ＤＭＢパッケージインターフェース部を介して移動端末機に整合されるＤＭＢパッケージを用いてＤＭＢデータを受信し、前記受信されたＤＭＢデータを前記移動端末機を介して再生する方法において、
前記ＤＭＢパッケージが前記ＤＭＢデータを受信するステップと、
前記ＤＭＢパッケージが前記移動端末機からキー入力があるか否かを判別するステップと、
前記ＤＭＢパッケージが、前記判別結果、チャンネル選択のためのキー入力である場合、選択されたチャンネルに従うＤＭＢデータを受信し、前記変換設定に従うデータ形式に前記ＤＭＢデータを変換するステップと、
前記ＤＭＢパッケージが、前記変換されたＤＭＢデータを前記移動端末機に出力するステップと、を含み、
前記ＤＭＢデータを変換するステップは、
前記ＤＭＢパッケージが、前記移動端末機が再生可能なマルチメディアデータ形式に関する情報を受信し、受信されたデータ形式に従って前記ＤＭＢデータを変換するように設定するステップと、
前記ＤＭＢパッケージが、前記選択されたチャンネルに従うＤＭＢデータを受信し、前記変換設定に従うデータ形式に前記ＤＭＢデータを変換するステップと、を含み、
前記ＤＭＢデータを変換するように設定するステップは、
前記ＤＭＢパッケージが、前記移動端末機が再生可能なマルチメディアデータのデータ形式に関する情報を前記移動端末機に要請するステップと、
前記ＤＭＢパッケージが、前記データ形式情報を前記移動端末機から受信するステップと、
前記ＤＭＢパッケージが、前記受信されたデータ形式情報に従って前記ＤＭＢデータのマルチメディアデータを変換できるか否かにより、前記移動端末機が再生可能なマルチメディアデータ形式に前記ＤＭＢデータのデータ変換を設定するステップと、を含み、
前記ＤＭＢデータのデータ変換を設定するステップは、
前記ＤＭＢパッケージが、前記受信されたデータ形式情報に従って前記ＤＭＢデータのマルチメディアデータを変換できるか否かを判断するステップと、
前記ＤＭＢパッケージが、前記判別結果に従い、前記移動端末機が再生可能なマルチメディアデータ形式に前記ＤＭＢデータのデータ変換を設定するステップと、を含み、
前記マルチメディアデータを変換できるか否かを判断するステップは、
前記ＤＭＢパッケージが、前記受信されたデータ形式情報に従い、前記移動端末機が前記ＤＭＢデータのマルチメディアデータを再生できるか否かを判別するステップをさらに含み、
前記ＤＭＢデータのデータ変換を設定するステップは、
前記ＤＭＢパッケージが、前記判別結果、前記移動端末機が前記ＤＭＢデータのマルチメディアデータ再生が不可である場合、前記移動端末機が再生可能なマルチメディアデータ形式に前記ＤＭＢデータのマルチメディアデータのデータ変換を設定することを特徴とする方法。
【請求項１８】
前記受信ステップは、
前記ＤＭＢパッケージが前記ＤＭＢデータを受信するステップと、
前記ＤＭＢパッケージが、前記移動端末機に前記ＤＭＢデータに含まれたデータ放送において放送されるデータである情報データ及び前記ＤＭＢのチャンネル別放送プログラム情報を画像情報に変換して出力できるＤＭＢパッケージソフトウェアが設置されているか否かを判別するステップと、を含むことを特徴とする請求項１７に記載の方法。
【請求項１９】
前記ＤＭＢパッケージソフトウェア設置可否判別ステップは、
前記ＤＭＢパッケージが、前記移動端末機に前記ＤＭＢパッケージソフトウェアが設置されているか否かを判別するステップと、
前記ＤＭＢパッケージが、前記ＤＭＢパッケージソフトウェア設置可否に従う結果をユーザーに報知するように前記移動端末機を制御するステップと、を含むことを特徴とする請求項１８に記載の方法。
【請求項２０】
前記ＤＭＢパッケージソフトウェア設置可否判別ステップは、
前記ＤＭＢパッケージが、前記移動端末機に前記ＤＭＢパッケージソフトウェアが設置されているか否かを判別するステップと、
前記ＤＭＢパッケージが、前記判別結果、前記移動端末機に前記ＤＭＢパッケージソフトウェアが設置されていなければ、内蔵されたＤＭＢパッケージ設置ソフトウェアを前記移動端末機に設置するステップと、を含むことを特徴とする請求項１８に記載の方法。
【請求項２１】
前記変換ステップは、前記ＤＭＢパッケージが、前記判別結果、データ放送において放送されるデータである情報データの出力のためのキー入力である場合、前記ＤＭＢデータからユーザーの選択に従う前記情報データを前記移動端末機に提供することを特徴とする請求項１７に記載の方法。
【請求項２２】
前記変換ステップは、前記ＤＭＢパッケージが、前記判別結果、前記ＤＭＢデータのチャンネル別放送プログラム情報の出力のためのキー入力である場合、前記ＤＭＢデータからチャンネル別放送プログラム情報を抽出して前記移動端末機に提供することを特徴とする請求項１７に記載の方法。
【請求項２３】
移動端末機のインターフェース部を介して整合されるＤＭＢパッケージを用いてＤＭＢデータを受信し、前記受信されたＤＭＢデータを前記移動端末機を介して再生する方法において、
前記ＤＭＢパッケージは、前記ＤＭＢデータを受信するＤＭＢ信号受信部と、前記ＤＭＢ信号受信部で受信したＤＭＢデータから、ＤＭＢにおけるマルチメディアデータと、チャンネル構成情報とを分類するＤＭＢ信号解析部と、前記ＤＭＢ信号受信部から受信されたＤＭＢデータから分類された前記ＤＭＢにおけるマルチメディアデータを、前記移動端末機が再生可能なマルチメディアデータ形式に変換するＤＭＢデータ変換部と、前記移動端末機に整合され、前記移動端末機とインターフェーシングを行うようにするＤＭＢパッケージインターフェース部と、前記ＤＭＢ信号受信部及び前記ＤＭＢデータ変換部と連結されるとともに、前記ＤＭＢ信号受信部及びＤＭＢデータ変換部を制御して、該制御に従って受信されたＤＭＢデータを、前記移動端末機が再生可能なマルチメディアデータ形式に変換し、前記ＤＭＢパッケージインターフェース部を介して前記移動端末機に出力するように制御するＤＭＢパッケージ制御部と、前記ＤＭＢデータから分類された前記ＤＭＢにおけるマルチメディアデータを前記移動端末機が再生可能なマルチメディアデータ形式に変換するための変換情報を格納したＤＭＢパッケージメモリ部と、前記情報データを受信して、ユーザーの選択に従う情報データを抽出する処理をデータカルーセル方式で行うデータカルーセル受信処理部と、を含み、前記ＤＭＢ信号解析部は、前記ＤＭＢデータから、前記ＤＭＢデータの情報データを抽出し、前記ＤＭＢデータから、前記チャンネル別放送プログラム情報を抽出し、前記移動端末機が再生可能なマルチメディアデータ形式に関する情報を受信し、受信されたデータ形式に従って前記ＤＭＢデータを変換するように設定されており、
前記移動端末機が、前記ＤＭＢパッケージが整合される場合、前記ＤＭＢパッケージを認識するステップと、
前記移動端末機が、ユーザーのキー入力に従うキー入力信号を前記ＤＭＢパッケージに入力するステップと、
前記移動端末機が、前記ＤＭＢパッケージから前記移動端末機が再生可能なデータ形式に変換されたＤＭＢデータのマルチメディアデータを受信するステップと、
前記移動端末機が、前記受信したマルチメディアデータを再生するステップと、を含むことを特徴とする方法。
【請求項２４】
前記認識ステップは、前記ＤＭＢパッケージの要請に従い、前記移動端末機と前記ＤＭＢパッケージとが通信可能に適合し、前記移動端末機と前記ＤＭＢパッケージとが互いにインターフェーシングされるようにするＤＭＢパッケージソフトウェアが設置されているか否かを判別するステップをさらに含むことを特徴とする請求項２３に記載の方法。
【請求項２５】
前記設置可否判別ステップは、前記移動端末機が、前記判別結果を前記ＤＭＢパッケージに入力するステップをさらに含むことを特徴とする請求項２４に記載の方法。
【請求項２６】
前記設置可否判別結果入力ステップは、前記移動端末機が、前記判別結果、前記ＤＭＢパッケージソフトウェアが設置されていなければ、前記ＤＭＢパッケージの制御に従い、前記ＤＭＢパッケージソフトウェアが設置されていないことをユーザーに報知するステップをさらに含むことを特徴とする請求項２５に記載の方法。
【請求項２７】
前記設置可否判別結果入力ステップは、
前記移動端末機が、前記判別結果、前記ＤＭＢパッケージソフトウェアが設置されていなければ、前記ＤＭＢパッケージから前記ＤＭＢパッケージソフトウェア設置データの入力を受けるステップと、
前記移動端末機が、前記ＤＭＢパッケージから前記ＤＭＢパッケージソフトウェアの入力を受けてこれを設置するステップと、を含むことを特徴とする請求項２４に記載の方法。
【請求項２８】
前記移動端末機が、前記ＤＭＢパッケージから前記ユーザーのキー入力に従うデータ放送において放送されるデータである前記ＤＭＢデータの情報データを受信してこれを出力するステップをさらに含むことを特徴とする請求項２３に記載の方法。
【請求項２９】
前記データ放送において放送されるデータである情報データ提供ステップは、
前記移動端末機が、前記情報データを前記ＤＭＢパッケージから受信するステップと、
前記移動端末機が、既設置されたＤＭＢパッケージソフトウェアを用いて、前記情報データを画像情報に変換して出力するステップと、を含むことを特徴とする請求項２８に記載の方法。
【発明の詳細な説明】
【技術分野】
【０００１】
本発明は、ＤＭＢ(Digital Multimedia Broadcasting)に関し、特に、ＤＭＢデータを受信する装置及び方法に関する。
【背景技術】
【０００２】
通常、ＤＭＢとは、従来のアナログ放送に比べ、高画質や高音質、且つ、高品質のサービスを提供できる放送サービスのことである。最近は、デジタル放送技術及び移動通信技術の発達に伴い、移動中でもデジタル放送を視聴できるデジタル放送サービスに対する関心が高まっている。これにより、現在は、無指向性ＤＭＢ受信アンテナ付きの移動端末機を介して、移動中でもＤＭＢを受信することができる。以下、前述したＤＭＢデータを受信及び再生できる移動端末機を、ＤＭＢ受信端末機とする。
【０００３】
このようなＤＭＢ受信端末機は、移動端末機の構成要素の他に、ＤＭＢデータを受信及び再生するための構成要素を備える。ここで、ＤＭＢデータを受信及び再生するための構成要素は、ＤＭＢデータを受信するためのＤＭＢ受信部と、ＤＭＢデータをデコーディングして再生するＤＭＢモジュールとを含む。よって、一般的にＤＭＢ受信端末機は、移動通信機能のためのモデムモジュールとＤＭＢモジュールの両方ともを備えるべきである。
【０００４】
したがって、ＤＭＢ受信端末機は、移動端末機の基本構成の他に、ＤＭＢモジュール及びＤＭＢ受信部を備えるべきである。また、移動端末機の特徴の一つである携帯性を具現するためには、ＤＭＢモジュール及びＤＭＢ受信部をより小型化する必要がある。また、移動端末機の制御部も、ＤＭＢモジュールと連動できるように具現するためには、要求されるハードウェア及びソフトウェアのシステム具現費用が高いという問題点がある。
【０００５】
また、ＤＭＢ受信端末機は、最近、ＤＭＢに対する関心が集中し始めながら商品化されたため、現在はＤＭＢ受信端末機よりも一般の移動端末機を持っているユーザーが多い。しかしながら、一般の移動端末機にはＤＭＢモジュール及びＤＭＢ受信部が備えられていないため、ＤＭＢの視聴が不可であるという問題点がある。この場合、ユーザーは、ＤＭＢの視聴のために、高価のＤＭＢ受信端末機を再購入すべきなので、既存の移動端末機があるのにも関わらず、移動端末機が具備されたＤＭＢ受信端末機を再購入すべきであるという問題点がある。
【発明の開示】
【発明が解決しようとする課題】
【０００６】
よって、本発明の目的は、一般の移動端末機を用いて、ユーザーがＤＭＢを視聴できるようにする装置及び方法を提供することにある。
【０００７】
本発明の他の目的は、ＤＭＢ受信モジュール及びＤＭＢ受信部を移動端末機に内蔵するためにかかるハードウェア及びソフトウェアのシステム具現費用を減少できる装置及び方法を提供することにある。
【０００８】
本発明のさらに他の目的は、移動通信端末機だけでなく、移動端末機、例えば、動画再生が可能なデジタルカメラ、ノートブックコンピュータ、デジタルカムコーダなどを用いて、ＤＭＢを視聴できるようにする装置及び方法を提供することにある。
【課題を解決するための手段】
【０００９】
前記目的を達成するために、本発明のＤＭＢパッケージは、前記ＤＭＢデータを受信するＤＭＢ信号受信部と、前記ＤＭＢ信号受信部から受信されたＤＭＢデータを、前記移動端末機が再生可能なデータ形式に変換するＤＭＢデータ変換部と、前記移動端末機に整合され、前記移動端末機とインターフェーシングを行うようにするＤＭＢパッケージインターフェース部と、前記ＤＭＢ信号受信部及びＤＭＢデータ変換部を制御して、移動端末機が再生可能なデータ形式に変換し、前記ＤＭＢパッケージインターフェース部を介して前記移動端末機に出力するように制御するＤＭＢパッケージ制御部とを備える。
【００１０】
また、本発明の実施形態による移動端末機は、複数のキーを備えたキー入力部と、画像情報を出力するための表示部と、可聴信号を出力するための可聴音出力部と、前記ＤＭＢパッケージとインターフェーシングを行うようにする端末機インターフェース部と、前記キー入力部からキーが入力されれば、前記入力されたキーに従うキー入力信号を、前記端末機インターフェース部を介して前記ＤＭＢパッケージに入力し、前記ＤＭＢパッケージから前記ＤＭＢデータの入力を受け、これを再生する端末機制御部とを備える。
【００１１】
また、本発明の実施形態によるＤＭＢパッケージが移動端末機を介してＤＭＢデータを再生する方法は、前記ＤＭＢパッケージが前記ＤＭＢデータを受信するステップと、前記ＤＭＢパッケージが前記移動端末機からキー入力があるか否かを判別するステップと、前記ＤＭＢパッケージが、前記判別結果、チャンネル選択のためのキー入力である場合、選択されたチャンネルに従うＤＭＢデータを受信し、前記変換設定に従うデータ形式に前記ＤＭＢデータを変換するステップと、前記ＤＭＢパッケージが、前記変換されたＤＭＢデータを前記移動端末機に出力するステップとを含む。
【００１２】
また、本発明の実施形態による移動端末機が受信されたＤＭＢデータを再生する方法は、前記移動端末機が、前記ＤＭＢパッケージが整合される場合、前記ＤＭＢパッケージを認識するステップと、前記移動端末機が、ユーザーのキー入力に従うキー入力信号を前記ＤＭＢパッケージに入力するステップと、前記移動端末機が、前記ＤＭＢパッケージから前記移動端末機が変換可能なデータ形式に変換されたＤＭＢデータのマルチメディアデータを受信するステップと、前記移動端末機が、前記受信したマルチメディアデータを再生するステップとを含む。
【発明の効果】
【００１３】
本発明によれは、ＤＭＢデータを受信及び再生できる機能が具備されていない移動端末機でも、ＤＭＢデータを再生できるようにする。したがって、本発明では、一般の移動端末機を使用するユーザーも、本発明の実施形態による装置を用いてＤＭＢを視聴できる。
【発明を実施するための最良の形態】
【００１４】
以下、添付図面に基づき、本発明の好適な実施形態について詳細に説明する。従来と同一の構成要素に対しては同じ符号を使用したことを留意すべきである。また、本発明の説明において、本発明に関連した公知の機能や構成についての具体的な説明が、本発明の要旨を不明瞭にすると判断される場合には、その詳細な説明を省略する。
【００１５】
まず、本発明の完全な理解を助けるために、本発明の基本原理を説明すれば、本発明では、移動端末機と別個に脱着可能に取り付けられる装置と、通常の移動端末機とを備える。また、本発明の実施形態による装置は、ＤＭＢデータを受信し、受信されたＤＭＢデータを通常の移動端末機が再生可能なビデオデータ及びオーディオデータの形式に変換する。変換されたＤＭＢデータを移動端末機に転送する。これにより、ＤＭＢデータを受信及び再生できる機能が具備されていない移動端末機でも、ＤＭＢデータを再生できる。よって、本発明では、一般の移動端末機を使用するユーザーも、本発明の実施形態による装置を用いてＤＭＢを視聴できる。
【００１６】
図１の（ａ）及び図１の（ｂ）は、本発明の実施形態によるＤＭＢデータの受信及び再生装置の例示図で、図２Ａは、本発明の実施形態によるＤＭＢデータの受信及び再生装置のブロック構成図で、図２Ｂは、本発明の実施形態によるＤＭＢデータの受信及び再生装置に連結される移動端末機のブロック構成図である。以下、本発明の実施形態によるＤＭＢデータの受信及び再生装置は、説明の便宜のためにＤＭＢパッケージとする。
【００１７】
図１の（ａ）は、本発明の実施形態によるＤＭＢパッケージの例示図である。図１の（ａ）によれば、ＤＭＢパッケージ１００は、電源オン/オフキー(図１の（ａ）での“ＴＵキー”)(以下、電源キーとする)を備え、インターフェースコネクターを介して移動端末機に連結されている。
ここで、移動端末機は、携帯電話を始めとして、ＰＤＡ(Personal Digital Assistants)、ノートブックコンピュータ(Personal Computer)、デジタルカムコーダ(Camcoder)のように動画の再生が可能な機器を意味する。一般的に、このような移動端末機は、少なくとも一つ以上のビデオデータ及びオーディオデータを再生できるデータ形式を持つ。また、このような移動端末機は、ＵＳＢ(Universal Serial Bus)方式を使用するか、或いは、ＵＡＲＴ(Universe Asynchronous Receiver/transmitter)方式を使用するかに従って、移動端末機に連結された機器間にインターフェーシングを制御するＵＳＢコントローラ或いはＵＡＲＴコントローラを備える。
【００１８】
一般的に、直列ポートは、規格化した２４ピンのインターフェースコネクターを用いて連結可能である。仮に、移動端末機が外部機器間のインターフェーシングのためにＵＳＢ方式或いはＵＡＲＴ方式を使用すれば、インターフェースコネクターは、移動端末機のＵＳＢコントローラ或いはＵＡＲＴコントローラに連結された直列ポートに整合される。以下の説明では、説明の便宜のために、移動端末機がＵＳＢ方式を用いる場合を例として説明する。しかし、移動端末機がＵＡＲＴ方式を用いる場合も、本発明が適用可能であることは勿論である。
【００１９】
本発明の実施形態によるＤＭＢパッケージ１００は、インターフェースコネクターを介して移動端末機に連結され得る。図１の（ｂ）は、本発明の実施形態によるＤＭＢパッケージ１００が移動端末機１０２(例えば、携帯電話)に連結された例を示す図である。
【００２０】
以下では、説明の便宜のために、本発明の実施形態によるＤＭＢパッケージ１００のインターフェースコネクターをＤＭＢパッケージインターフェース部とし、移動端末機１０２のＵＳＢコントローラ及びＵＳＢコントローラに連結される直列ポートを端末機インターフェース部とする。
【００２１】
図２Ａは、本発明の実施形態によるＤＭＢパッケージ１００のブロック構成図である。図２Ａによれば、本発明の実施形態によるＤＭＢパッケージ１００は、ＤＭＢパッケージメモリ部２０２、ＤＭＢ信号解析部２０６、ＤＭＢデータ変換部２１２、データ変換可否確認部２２８、電源キー入力部２２６、ＤＭＢパッケージインターフェース部２１６、制御データパッシング部２０８、ＤＭＢパッケージソフトウェア設置判別部２１０及びチャンネル設定部２１４が、ＤＭＢパッケージ制御部２００に連結される。
【００２２】
ここで、ＤＭＢパッケージインターフェース部２１６は、ＤＭＢパッケージ制御部２００に連結されており、ＤＭＢパッケージ制御部２００と移動端末機１０２の制御部との間にインターフェーシングを行う。
【００２３】
また、ＤＭＢパッケージ１００は、ＤＭＢパッケージソフトウェアが移動端末機１０２に設置されているか否かを確認する。ここで、ＤＭＢパッケージソフトウェアは、移動端末機１０２がＤＭＢパッケージと互換され、移動端末機１０２とＤＭＢパッケージ１００とが互いにインターフェーシングするためのソフトウェアである。ＤＭＢパッケージソフトウェアは、ＤＭＢのチャンネル別放送プログラム情報、すなわちＥＰＧ(Electronic Program Guide)データをパッシングし、これを画像情報として出力できるようにする機能を含むことができる。また、ＤＭＢパッケージソフトウェアは、本発明の実施形態によって移動端末機１０２で支援可能なマルチメディアデータ形式を確認する機能を含むことができる。ＤＭＢパッケージ制御部２００は、ＤＭＢパッケージソフトウェアが設置されていない場合、ユーザーにこれを報知するか、或いは、ＤＭＢパッケージソフトウェアを直接移動端末機１０２に設置する。
【００２４】
また、ＤＭＢ信号解析部２０６により、ＤＭＢデータに含まれたビデオデータ及びオーディオデータが受信される場合、これを移動端末機１０２で再生可能なビデオデータ及びオーディオデータの形式に変換する。移動端末機１０２で再生及び出力が可能なデータ形式に変換されたビデオデータ及びオーディオデータを移動端末機１０２に入力する。
【００２５】
ＤＭＢ信号解析部２０６により情報データが受信される場合、受信された情報データを印加し、データカルーセル(Data Carousel)２２２を介してユーザーが選択した情報データを移動端末機１０２に入力する。そして、移動端末機１０２を制御して情報データが画像情報として出力されるようにする。これにより、移動端末機１０２は、ＤＭＢのビデオデータ及びオーディオデータを再生したり、情報データを画像情報として出力したりできる。
【００２６】
ＤＭＢ信号解析部２０６によりマルチメディアデータでない制御データが入力される場合、ＤＭＢパッケージ制御部２００は、入力された制御データを制御データパッシング部２０８に出力する。そして、制御データパッシング部２０８を制御して制御データをパッシングする。パッシングされた制御データを用いてＤＭＢのチャンネル構成情報を生成し、これをチャンネル設定部２１４に印加する。ここで、チャンネル構成情報は、衛星波ＤＭＢのＣＤＭ(Code Division Multiplex)チャンネル情報のように、どのような放送チャンネルにどのようなＣＤＭチャンネルが割り当てられているかに関する情報などである。
【００２７】
ＤＭＢ信号解析部２０６によりＤＭＢのチャンネル別放送プログラム情報が入力される場合、ＤＭＢパッケージ制御部２００は、入力されたチャンネル別放送プログラム情報を移動端末機１０２に出力する。すると、移動端末機１０２は、ユーザーがＥＰＧ出力のためのキーを入力したか否かを判別する。ユーザーがＥＰＧ出力のためのキーを入力した場合であれば、チャンネル別放送プログラム情報をパッシングする。ここで、移動端末機１０２は、チャンネル別放送プログラム情報のパッシングのために、ＤＭＢパッケージソフトウェアを用いることもできる。移動端末機１０２は、パッシングされたチャンネル別放送プログラム情報を画像情報として出力する。よって、移動端末機１０２は、ＤＭＢデータのチャンネルに関する情報をユーザーに画像情報として提供することができる。
【００２８】
ＤＭＢ信号受信部２０４は、ＤＭＢデータを受信するためのアンテナ及びＲＦ部、ベースバンド処理部を内蔵する。また、チャンネル設定部２１４で設定されたチャンネルに従うＤＭＢデータを受信する。受信されたＤＭＢデータはＤＭＢ信号解析部２０６に出力する。
【００２９】
ＤＭＢパッケージ制御部２００に連結されるＤＭＢ信号解析部２０６は、ＤＭＢ信号受信部２０４から受信されたＤＭＢデータを解析して、ビデオデータ、オーディオデータ、情報データ、制御データ及びチャンネル別放送プログラム情報を抽出する。抽出されたそれぞれのデータをＤＭＢパッケージ制御部２００に印加する。
【００３０】
制御データパッシング部２０８は、ＤＭＢパッケージ制御部２００からＳＤＴ(Service Description Table)、ＰＡＴ(Program Association Table)、ＰＭＴ(Program Map Table)等のようなＰＳＩ(Program Specification Information)を含む制御データが入力されれば、これをパッシングする。その後、ＤＭＢパッケージ制御部２００は、パッシングされた制御データをチャンネル構成情報としてチャンネル設定部２１４に印加する。
【００３１】
チャンネル設定部２１４は、制御データパッシング部２０８から印加されたチャンネル構成情報を用いて、ＤＭＢチャンネルの構成を確認する。ユーザーからチャンネル選択のためのキー入力がある場合、ＤＭＢパッケージ制御部２００の制御によってユーザーが入力したキーに従うチャンネルを、ＤＭＢ信号受信部２０４に設定する。
【００３２】
ここで、チャンネル設定部２１４のチャンネル設定方法は、ＤＭＢパッケージが受信するＤＭＢの種類によって変化し得る。例えば、ＤＭＢパッケージが衛星波ＤＭＢを受信する場合、チャンネル設定部２１４がＤＭＢパッケージ制御部２００から印加されたチャンネル構成情報を用いてウォルッシュ(Walsh)コードマップを生成し、生成されたウォルッシュコードマップを用いてユーザーが設定したチャンネルに従うウォルッシュコードをＤＭＢ信号受信部２０４に設定する方法によりチャンネルを設定することができる。一方、ＤＭＢパッケージが地上波ＤＭＢを受信する場合、ユーザーが選択したチャンネルのアンサンブル(Ensemble)周波数をＤＭＢ信号受信部に設定することができる。
【００３３】
また、ＤＭＢパッケージ制御部２００に連結されるＤＭＢパッケージソフトウェア設置判別部２１０は、ＤＭＢパッケージ制御部２００の制御に従い、移動端末機１０２にＤＭＢパッケージソフトウェアが設置されているか否かを確認し、その結果をユーザーに報知する。
【００３４】
ここで、ＤＭＢパッケージソフトウェアは、移動端末機１０２がＤＭＢパッケージと互換され、移動端末機１０２とＤＭＢパッケージ１００とが互いにインターフェーシングするためのソフトウェアである。また、ＤＭＢパッケージソフトウェアは、インターフェーシングだけでなく、情報データ及びチャンネル別放送プログラム情報をパッシングし、これを画像情報として出力するための機能も備えることができる。ここで、ＤＭＢパッケージ１００は、移動端末機１０２の表示部を用いた画像情報などにより、確認結果をユーザーに報知することができる。このとき、ユーザーは、移動端末機１０２が無線ネットワークに接続可能な場合、ＤＭＢパッケージソフトウェアをダウンロードするか、或いは、ＰＣなどのような装備に接続してダウンロードできる。
【００３５】
ところが、ＤＭＢパッケージソフトウェア設置判別部２１０がＤＭＢパッケージソフトウェアの設置データを内蔵していることもできる。このような場合、ＤＭＢパッケージ制御部２００は、移動端末機１０２にＤＭＢパッケージソフトウェアが設置されていないと判断されれば、ＤＭＢパッケージソフトウェア設置判別部２１０に内蔵されたＤＭＢパッケージソフトウェアの設置データを用いて、ＤＭＢパッケージソフトウェアを移動端末機１０２に設置することができる。
【００３６】
また、ＤＭＢパッケージ制御部２００に連結されるＤＭＢパッケージメモリ部２０２は、ＲＯＭ(Read Only Memory)、フラッシュメモリ(Flash memory)、ＲＡＭ(Random Access Memory)などからなる。ＲＯＭはＤＭＢパッケージ制御部２００の処理及び制御のためのプログラムと各種参照データを格納し、ＲＡＭはＤＭＢパッケージ制御部２００のワーキングメモリ(working memory)を提供し、フラッシュメモリは更新可能な各種保管用データを格納するための領域を提供する。ＤＭＢパッケージ制御部２００の制御に従い、移動端末機１０２で再生可能なマルチメディアデータ形式に関する情報が受信される場合、このような情報を格納する。
【００３７】
また、本発明の実施形態によるＤＭＢパッケージメモリ部２０２は、ＤＭＢデータが受信される場合、これに含まれたマルチメディアデータを移動端末機１０２で再生可能なデータ形式に変換し得る変換情報を格納する。ここで、ＤＭＢパッケージメモリ部２０２で変換情報が格納される領域を変換情報格納部２２４とする。
【００３８】
また、ＤＭＢパッケージ制御部２００に連結されるＤＭＢデータ変換部２１２は、ＤＭＢパッケージ制御部２００の制御に従って受信されたＤＭＢデータのビデオデータ及びオーディオデータの何れか一方或いは両方を、移動端末機１０２が再生及び出力できるデータ形式に変換する。このために、ＤＭＢデータ変換部２１２は、ビデオデータ変換部２１８及びオーディオデータ変換部２２０の少なくとも一つを含む。
【００３９】
ここで、ビデオデータ変換部２１８は、ＤＭＢデータのビデオデータを、移動端末機１０２で再生可能なビデオデータの形式に変更するためのものである。例えば、衛星波ＤＭＢであり、且つ、移動端末機１０２はＭＰＥＧ−４形式のデータ形式のみを支援すると仮定する。
【００４０】
ＤＭＢデータのビデオデータは、衛星波ＤＭＢの規格に従うＭＰＥＧ−４ＡＶＣ(Advanced Video Coding、H.264/MPEG-4 part10)データ形式(以下、Ｈ.２６４データ形式とする)を持つ。すると、ビデオデータ変換部２１８は、変換情報格納部２２４に格納された変換情報を用いて、Ｈ.２６４データ形式に従うビデオデータをＭＰＥＧ−４データ形式に従うビデオデータに変換する。また、ＤＭＢパッケージ制御部２００は、ＭＰＥＧ−４データ形式に変換されたビデオデータを移動端末機１０２に出力する。よって、移動端末機１０２は、ＤＭＢデータのビデオデータを再生できる。仮に、移動端末機１０２がＨ.２６４データ形式を再生できると、ビデオデータ変換部２１８はビデオデータ形式の変換を行われなくても良い。このような場合は、ビデオデータ変換部２１８が具備されなくても良い。上記では衛星波ＤＭＢを仮定したものであるが、同一のＨ.２６４データ形式を使用する地上波ＤＭＢの場合にも、本発明が適用可能であることは勿論である。
【００４１】
また、オーディオデータ変換部２２０においても前述したものと同様である。例えば、衛星波ＤＭＢであり、移動端末機１０２は衛星波ＤＭＢ規格に従うオーディオデータとは異なる形式のオーディオデータ形式のみを支援すると仮定する。
【００４２】
ＤＭＢデータのオーディオデータは、衛星波ＤＭＢの規格に従うＭＰＥＧ−２ ＡＡＣ＋(Advanced Audio Codec)ＳＢＲ(Spectral Band Replication)データ形式(以下、ＡＡＣ＋データ形式とする)を持つ。このとき、オーディオデータ変換部２２０は、ＡＡＣ＋形式のオーディオデータを移動端末機１０２が再生できるオーディオデータに変換する。また、ＤＭＢパッケージ制御部２００は、変換されたオーディオデータを移動端末機１０２に出力し、移動端末機１０２はこれを再生する。これにより、移動端末機１０２はＤＭＢデータのオーディオデータを再生できる。仮に、移動端末機１０２がＡＡＣ＋データ形式を再生できると、オーディオデータ変換部２２０はオーディオデータ形式の変換を行われなくても良い。また、一般の移動端末機がＡＡＣ＋形式のオーディオデータを再生できると、オーディオデータ変換部２２０は具備されなくても良い。
【００４３】
また、前述では、衛星波ＤＭＢを用いる場合を例とし、衛星波ＤＭＢの規格に従うオーディオデータ形式であるＡＡＣ＋を例としたが、ＡＡＣ＋フォーマットは一般の携帯電話でも再生可能である。これにより、本発明の実施形態によるＤＭＢパッケージが衛星波ＤＭＢを受信するためのものであり、且つ、移動端末機１０２が携帯電話の場合には、オーディオデータ変換部２２０が不要であることもある。
【００４４】
仮に、地上波ＤＭＢの場合、地上波ＤＭＢの規格に従うＭＰＥＧ−４ ＢＳＡＣ(Bit Sliced Arithmetic Coding)データ形式(以下、ＢＳＡＣデータ形式とする)のオーディオデータが受信される。しかし、一般の携帯電話はＢＳＡＣデータ形式のオーディオデータを再生できない。よって、本発明の実施形態によるオーディオデータ変換部２２０は、ＢＳＡＣデータ形式のオーディオデータをＡＡＣ＋データ形式のオーディオデータに変換することで、携帯電話でも地上波ＤＭＢの規格に従うオーディオデータを再生できるようにする。
【００４５】
また、ユーザーが選択したチャンネルに従うＤＭＢデータに情報データが含まれていれば、情報データはＤＭＢパッケージ制御部２００によりＤＭＢ信号解析部２０６からデータカルーセル２２２に印加される。その後、データカルーセル２２２は情報データの入力を受ける。また、ユーザーが情報データの出力のためのキーを入力した場合、ＤＭＢパッケージ制御部２００の制御に従い、ユーザーが選択したＤＭＢチャンネルの情報データを移動端末機１０２に出力する。続いて、移動端末機１０２はＤＭＢパッケージソフトウェアを用いて情報データを画像情報として出力する。よって、本発明の実施形態によるＤＭＢパッケージ１００は、ＤＭＢデータのマルチメディアデータだけでなく、情報データもユーザーに提供することができる。
【００４６】
また、本発明の実施形態によるＤＭＢパッケージ１００は、移動端末機１０２が再生できるマルチメディアデータのデータ形式に従い、受信されたＤＭＢのマルチメディアデータを変換する。このとき、ＤＭＢパッケージ１００は、移動端末機１０２の固有情報又は移動端末機１０２が再生できるマルチメディアデータの形式に関する情報をユーザーに要求し、ユーザーから入力された情報に従ってＤＭＢデータの変換を設定できる。
【００４７】
また、本発明の実施形態によるＤＭＢパッケージ１００は、移動端末機１０２が再生できるマルチメディアデータに関する情報を直接移動端末機１０２に要請することで、受信されたデジタルマルチメディアデータを移動端末機１０２が再生できる形態のデータに変換できる。このために、本発明の実施形態によるＤＭＢパッケージ１００は、データ変換可否確認部２２８を備えることができる。
【００４８】
データ変換可否確認部２２８は、ＤＭＢパッケージ制御部２００の制御に従い、移動端末機１０２が再生できるビデオデータ形式やオーディオデータ形式に関する情報を移動端末機１０２に要請する。移動端末機１０２から当該データ形式に関する情報が受信されれば、ＤＭＢパッケージメモリ部２０２に格納された変換情報と、移動端末機１０２から受信したデータ形式情報とを比較する。続いて、移動端末機１０２が支援するマルチメディア形式にＤＭＢデータの変換が可能か否かを判別する。判別結果に従ってＤＭＢデータを変換するデータの形式を決定する。よって、変換可否確認部２２８を備える場合、本発明では、移動端末機１０２が再生できるマルチメディアデータの形式に関する情報を要請し、これに対する応答として受信されたデータ形式情報を用いて、移動端末機１０２が再生できる形態にＤＭＢデータを変換できる。
【００４９】
図２Ｂは、本発明の実施形態によるＤＭＢパッケージに連結される移動端末機１０２の基本的なブロック構成を示す図である。移動端末機１０２は、通常のＰＤＡ、携帯電話或いはノートブックコンピュータなどである。しかし、本発明の実施形態によるＤＭＢパッケージ１００から形式が変換されたＤＭＢデータのビデオデータを再生するためのＬＣＤディスプレイ装置のような表示部、チャンネル選択及びデジタル放送データの受信のためのキー入力をＤＭＢパッケージ１００に入力するキー入力部、ＤＭＢパッケージ１００から入力されるオーディオデータを再生して可聴音信号を出力するための可聴音出力部、例えばスピーカー２７０などが必要である。図２Ｂによれば、ＤＭＢパッケージ１００に連結されて使用される移動端末機１０２は、端末機インターフェース部２６６と、端末機メモリ部２５２と、キー入力部２５４と、表示部２５６と、コーデック(CODEC:Coder-Decoder)２６２と、増幅部２６４とが、端末機制御部２５０に連結される。
【００５０】
ここで、端末機インターフェース部２６６は、端末機制御部２５０に連結されており、ＤＭＢパッケージインターフェース部２１６に整合され得る直列ポートと、図示してはいないが、移動端末機１０２がＵＳＢ方式を使用する場合のＵＳＢコントローラと、移動端末機１０２がＵＡＲＴ方式を使用する場合のＵＡＲＴコントローラとを含む。また、ＤＭＢパッケージ制御部２００と移動端末機制御部２５０との間にインターフェーシングを行う。表示部２５６は、端末機制御部２５０の制御に従って印加されるデータを画像情報として出力する。
【００５１】
端末機制御部２５０は、移動端末機１０２の各部分を制御する。ユーザーのキー入力をキー入力部２５４から受け、これをＤＭＢパッケージ１００に入力する。ＤＭＢパッケージ１００から入力されるビデオデータやオーディオデータを、コーデック２６２を用いてデコーディングし、デコーディングされたオーディオやビデオデータを、増幅部２６４、スピーカー２７０、表示部２５６を介してＤＭＢパッケージ制御部２００の制御によって出力する。
【００５２】
また、ユーザーが情報データの出力を所望する場合、既格納されたＤＭＢパッケージソフトウェアを用いて、ＤＭＢパッケージ１００から入力される情報データを画像情報として出力する。仮に、ユーザーがＥＰＧデータの出力を所望する場合、ＤＭＢパッケージ１００からＤＭＢのチャンネル別放送プログラム情報を入力され、これを格納されたＤＭＢパッケージソフトウェアを用いてパッシングする。また、これをＤＭＢパッケージソフトウェアを用いて画像情報として出力する。ここで、ＤＭＢパッケージソフトウェアは、ＤＭＢパッケージ１００からＤＭＢパッケージソフトウェアの設置データを入力されて移動端末機１０２に設置することができ、ユーザーの選択に従って移動通信網のような無線ネットワーク又は特定サービス提供者のサーバーからダウンロードすることができる。
【００５３】
端末機制御部２５０に連結される端末機メモリ部２５２は、ＲＯＭ、フラッシュメモリ、ＲＡＭなどからなる。ＲＯＭは端末機制御部２５０の処理及び制御のためのプログラムと、各種参照データとを格納する。ＲＡＭは端末機制御部２５０のワーキングメモリを提供し、フラッシュメモリは更新可能な各種保管用データを格納するための領域を提供する。移動端末機１０２のメモリ部２５２は、本発明の実施形態によってＤＭＢパッケージ１００、無線ネットワーク又はサービス提供者から提供されるＤＭＢパッケージソフトウェアが格納される領域を備える。以下、ＤＭＢパッケージソフトウェアが格納される端末機メモリ部２５２の領域をＤＭＢパッケージソフトウェア格納部２６８とする。
【００５４】
コーデック２６２は、端末機制御部２５０から印加されたビデオ信号及びオーディオ信号をデコーディングする。デコーディングしたビデオ信号及びオーディオ信号を更に端末機制御部２５０に入力する。キー入力部２５４は、前述したように数字キーを含む各種キーを備え、ユーザーから入力されるキー入力を端末機制御部２５０に提供する。端末機制御部２５０に連結された増幅部２６４は、スピーカー２７０と連結され、端末機制御部２５０から入力されるオーディオデータをスピーカー２７０に出力する。増幅部２６４は、スピーカー２７０に出力される音声信号を増幅するが、スピーカー２７０の音量を端末機制御部２５０の制御に従って調節する。
【００５５】
よって、本発明の実施形態によるＤＭＢパッケージ１００を用いる場合、通常の携帯電話、ＰＤＡ、ノートブックＰＣなどのようにＤＭＢ機能が全く具備されない移動端末機でもＤＭＢデータの視聴が可能である。このとき、ユーザーは、移動端末機のキー入力部２５４を用いて所望のチャンネルを選択できる。また、キー入力部２５４を用いてＥＰＧデータの出力又はＤＭＢデータの情報データの出力を選択できる。
【００５６】
これにより、図３及び図５において、ＤＭＢパッケージ１００及び通常の移動端末機１０２を用いて、ユーザーの選択に従うＤＭＢデータを提供する動作の流れ及びユーザーの選択に従うＥＰＧデータの出力過程を詳細に説明する。
【００５７】
まず、図３は、本発明の実施形態によるＤＭＢパッケージ１００を用いて、一般の移動端末機１０２でＤＭＢの再生動作を示す図である。図３に示すＤＭＢパッケージ１００は、ユーザーが選択したチャンネルの設定のためにウォルッシュコードを使用すると仮定する。移動端末機１０２の例として、ＡＡＣ＋のオーディオデータ形式及びＭＰＥＧ−４のビデオデータ形式が支援できる携帯電話を使用すると仮定する。ＤＭＢは衛星波ＤＭＢ、ビデオデータ形式はＨ.２６４、オーディオデータ形式はＡＡＣ＋を使用すると仮定する。本発明の実施形態によるＤＭＢパッケージ１００がデータ変換可否確認部２２８を備えると仮定する。
【００５８】
図３によれば、本発明の実施形態によるＤＭＢパッケージ１００は、電源キー入力部２２６から電源キーが入力されれば、段階Ｓ３０３においてＤＭＢパッケージソフトウェアが設置されているか否かを判別する。判別結果を移動端末機１０２の表示部２５６又はスピーカー２７０を介してユーザーに報知する。しかし、ＤＭＢパッケージ１００がＤＭＢパッケージソフトウェアを移動端末機１０２に設置可能な場合には、ユーザーに判別結果を報知する代わりに、ＤＭＢパッケージソフトウェアを移動端末機１０２に設置することもできる。また、ユーザーの選択に従って設置可否に関係なしにＤＭＢパッケージソフトウェアを設置又はアップデートすることができる。ここで、段階Ｓ３０３は、判別結果に従ってＤＭＢパッケージソフトウェアを移動端末機１０２に設置する場合を仮定した。以下、段階Ｓ３０３については、図４Ａでより詳細に説明する。
【００５９】
続いて、ＤＭＢパッケージ１００は、段階Ｓ３０４において移動端末機１０２に移動端末機１０２が支援するマルチメディアデータ形式に関する情報を要請し、受信されたマルチメディアデータ形式に従ってＤＭＢデータ変換部２１２のデータ変換を設定する。前述したように、携帯電話がＭＰＥＧ−４及びＡＡＣ＋データ形式を支援すると仮定したので、ビデオデータはＭＰＥＧ−４データ形式に変換し、オーディオデータは変換しないように設定される。
【００６０】
ここで、ＤＭＢパッケージ１００が移動端末機１０２に従ってデータ変換を設定する方法は多様にあり得る。例えば、端末機制御部２５０から移動端末機１０２の固有情報を受信して、移動端末機１０２のモデルに従って支援可能なマルチメディアデータ形式をチェックできる。このような過程を例として、段階Ｓ３０４を図４Ｂでより詳細に説明する。
【００６１】
段階Ｓ３０４においてデータ変換設定が完了すれば、移動端末機１０２は、段階Ｓ３０６においてユーザーからキー入力があるか否かを判別する。段階Ｓ３０６においてユーザーからキー入力があれば、移動端末機１０２は、段階Ｓ３０８においてキー入力信号を互いに整合されたインターフェース部２１６、２６６を介してＤＭＢパッケージ１００に入力する。ここで、移動端末機１０２のキー入力信号は、移動端末機１０２に設置されたＤＭＢパッケージソフトウェアを用いてＤＭＢパッケージ１００が認識できる信号に変換されて入力することもできる。
【００６２】
続いて、ＤＭＢパッケージ１００は、段階Ｓ３１０においてキー入力信号を受信し、入力されたキー信号がチャンネル選択のためのキー入力信号か否かを判別する。ここで、ＤＭＢパッケージ１００が、キー入力信号がチャンネル選択のためのキー入力信号か否かを判別する方法は多様である。例えば、数字キーが入力される場合、ＤＭＢパッケージ１００は、現在ユーザーが特定チャンネルのチャンネル番号を入力したと判断できる。
【００６３】
これにより、段階Ｓ３１０において、ユーザーがチャンネル選択のためのキーを入力したと判別されれば、ＤＭＢパッケージ１００は、段階Ｓ３１２においてチャンネル設定部２１４を介してユーザーが入力したチャンネル番号に対応するチャンネルをチャンネル構成情報から確認する。ここで、チャンネル構成情報とは、ＤＭＢの各チャンネルの固有ＩＤ、それぞれのチャンネルに対応するＰＭＴ ＰＩＤ(Packet Identification)、各チャンネルに従うビデオデータやオーディオデータ、及び情報データのＰＥＳ(Packet Element Stream)  ＰＩＤに関する情報を含む。このようなチャンネル構成情報は、ＤＭＢデータに含まれた制御データをパッシングすることで生成される。
【００６４】
段階Ｓ３１２においてユーザーが入力したキー入力信号に対応されるチャンネルに関する情報を確認すれば、ＤＭＢパッケージ１００は、段階Ｓ３１４においてユーザーが選択したチャンネルのＰＥＳ ＰＩＤに従うウォルッシュコードをＤＭＢ信号受信部２０４に設定する。ＤＭＢ信号受信部２０４では、設定されたウォルッシュコードに従うＤＭＢデータのみをフィルタリングして受信することができる。これにより、ＤＭＢパッケージ１００は、段階Ｓ３１６においてユーザーが設定したチャンネルのウォルッシュコードに従うＤＭＢデータのみを受信する。
【００６５】
ＤＭＢパッケージ１００は、段階Ｓ３２０において受信されたＤＭＢデータのビデオデータを、段階Ｓ３０４において設定された変換設定に従ってデータ形式を変換する。変換設定に従ってビデオデータの形式が変換されれば、ＤＭＢパッケージ１００は、段階Ｓ３２４においてオーディオデータ及び変換されたビデオデータを移動端末機１０２に転送する。ここで、オーディオデータの携帯電話がＡＡＣ＋データ形式の再生が可能なので、ＤＭＢデータのオーディオデータがＡＡＣ＋形式の場合、ＤＭＢパッケージ１００のオーディオデータ変換部２２０がこれを変換する必要がないためである。
【００６６】
続いて、移動端末機１０２は、段階Ｓ３２６において受信されたオーディオデータ及びビデオデータをデコーディングし、表示部２５６及び増幅部２５４に出力することにより、ＤＭＢデータを再生する。
【００６７】
よって、本発明の実施形態では、ＤＭＢデータを受信又は再生できる機能が具備されていない一般の移動端末機でも、本発明の実施形態によるＤＭＢパッケージ１００を用いる場合、ＤＭＢの受信及び再生が可能である。これにより、ユーザーは、現在携帯している通常の移動端末機１０２を用いて、いつでもＤＭＢを視聴できる。
【００６８】
図４Ａは、ＤＭＢパッケージ１００がＤＭＢパッケージソフトウェアを移動端末機１０２に設置可能な場合、ＤＭＢパッケージ１００が移動端末機１０２にＤＭＢパッケージソフトウェアを設置する動作を示す図である。図４Ａによれば、本発明の実施形態によるＤＭＢパッケージ１００は、電源がオンの場合、段階Ｓ４００においてＤＭＢパッケージソフトウェアが設置されているか否かを確認する要請メッセージを移動端末機１０２に転送する。
【００６９】
続いて、移動端末機１０２は、段階Ｓ４０２においてＤＭＢパッケージソフトウェアが格納されたか否かを判別する。段階Ｓ４０４において判別結果をＤＭＢパッケージ１００に転送する。その後、ＤＭＢパッケージ１００は、段階Ｓ４０６において判別結果に従ってＤＭＢパッケージソフトウェアを移動端末機１０２に設置するか否かを判別する。
【００７０】
段階Ｓ４０６においてＤＭＢパッケージソフトウェアの設置が必要であれば、ＤＭＢパッケージ１００は、段階Ｓ４０８においてＤＭＢパッケージソフトウェアの設置データを移動端末機１０２に入力する。次に、移動端末機１０２は、段階Ｓ４１０においてＤＭＢパッケージソフトウェアの設置データを受信し、ＤＭＢパッケージ１００の制御に従ってＤＭＢパッケージソフトウェアを設置する。そして、移動端末機１０２は、ＤＭＢパッケージソフトウェアの設置が完了すれば、段階４１２においてＤＭＢパッケージソフトウェアの設置完了を報知するメッセージをＤＭＢパッケージ１００に転送する。仮に、移動端末機１０２がＤＭＢパッケージソフトウェアを具備していない場合でも、本発明の実施形態によるＤＭＢパッケージ１００を用いてこれを設置することができる。
【００７１】
図４Ｂは、本発明の実施形態によるＤＭＢパッケージが、移動端末機のマルチメディア再生資源に従い、変換するメディアデータの形式を決定する動作を示す図である。また、図４Ｂでは、本発明の実施形態によるＤＭＢパッケージ１００がデータ変換可否確認部２２８を備えると仮定する。これにより、データ変換可否確認部２２８は、移動端末機１０２から移動端末機１０２が再生可能なマルチメディアデータ形式を確認する。ＤＭＢパッケージ１００が、移動端末機１０２が再生可能なデータ形式に従ってマルチメディアデータの変換を設定する。図４Ｂは、このような仮定の下で本発明の実施形態によるＤＭＢパッケージが、移動端末機のマルチメディア再生資源に従って変換するメディアデータの形式を決定する動作を示す図である。
【００７２】
図４Ｂによれば、図４Ａと同様な過程によりＤＭＢパッケージソフトウェアの設置が完了すれば、ＤＭＢパッケージ１００は、段階Ｓ４５０において移動端末機１０２に支援可能なマルチメディアデータの形式情報を要請する。ここで、マルチメディアデータの形式情報とは、移動端末機１０２が再生できるビデオデータの形式及びオーディオデータの形式に関する情報を含む。
【００７３】
段階Ｓ４５０においてＤＭＢパッケージ１００からマルチメディアデータ形式情報の要請を受けた移動端末機１０２は、段階Ｓ４５２において現在具備されたマルチメディア再生資源で再生可能なビデオデータ及びオーディオデータ形式情報をＤＭＢパッケージ１００に入力する。続いて、ＤＭＢパッケージ１００は、段階Ｓ４５４において受信されたマルチメディアデータ形式情報に従うデータにＤＭＢデータの変換が可能か否かを判別する。ここで、段階Ｓ４５４は、受信されたデジタルマルチメディアデータ形式情報に対応する変換情報が、変換情報格納部２２４に格納されているか否かを判別するものからなり得る。
【００７４】
段階Ｓ４５４において、受信されたマルチメディアデータ形式にＤＭＢデータを変換できない場合、ＤＭＢパッケージ１００は、段階Ｓ４５８においてＤＭＢデータの再生が不可であることを報知するメッセージを移動端末機１０２に出力する。一方、段階Ｓ４５４において、受信されたマルチメディアデータ形式にＤＭＢデータを変換できる場合、ＤＭＢパッケージ１００は、段階Ｓ４５６においてＤＭＢデータのデータ形式変換を設定する。これにより、以後にＤＭＢデータが受信される場合、データ形式変換設定により、ＤＭＢデータのビデオデータ及びオーディオデータは移動端末機１０２が再生可能なデータ形式に変換できる。
【００７５】
前述したように、本発明の実施形態によるＤＭＢパッケージ１００を用いる場合、一般の移動端末機を用いてＤＭＢを受信することができる。しかし、ＤＭＢを再生するためには、マルチメディア放送データの受信及び再生機能だけでなく、ＤＭＢの各チャンネル別放送プログラム情報、すなわちＥＰＧデータをユーザーに提供する機能も必ず必要である。また、通常のＤＭＢ受信端末機の場合、ＤＭＢの受信及び再生を担当するＤＭＢモジュールが、このようなＥＰＧデータを受信すれば、ユーザーの選択に従ってデコーディングして連結されたＤＭＢ端末機の表示部に出力する。しかし、一般の移動端末機の場合、ＤＭＢデータを受信する機能が具備されていないので、当然ＥＰＧデータを出力できる機能も具備されていない。これにより、本発明の実施形態によるＤＭＢパッケージ１００に連結される移動端末機もＥＰＧデータを出力できない。
【００７６】
本発明の実施形態によるＤＭＢパッケージ１００は、ＥＰＧデータを出力することもできる。前述したように、本発明の実施形態によるＤＭＢパッケージ１００の場合、移動端末機１０２及びＤＭＢパッケージ１００が、互いにインターフェーシングするためのＤＭＢパッケージソフトウェアがチャンネル別放送プログラム情報をパッシング及び画像情報として出力できる機能を具備できることを明示した。これにより、ＤＭＢパッケージソフトウェアがチャンネル別放送プログラム情報をパッシング及び画像情報として出力できる機能を備えた場合、本発明の実施形態による移動端末機１０２は、ＤＭＢパッケージソフトウェアを用いてチャンネル別放送プログラム情報を画像情報として出力できる。
【００７７】
図５は、このような本発明の実施形態によるＤＭＢパッケージソフトウェアがチャンネル別放送プログラム情報をパッシング及び出力できる機能を備えた場合、チャンネル別放送プログラム情報がユーザーに提供される動作を示すフローチャートである。
【００７８】
図５によれば、本発明の実施形態によるＤＭＢパッケージ１００は、デジタル放送データが受信される場合、段階Ｓ５００においてＤＭＢデータからチャンネル別放送プログラム情報を抽出する。以下、チャンネル別放送プログラム情報をＥＰＧデータと仮定する。
【００７９】
ＤＭＢパッケージ１００は、段階Ｓ５０２において抽出されたＥＰＧデータを移動端末機１０２に転送する。続いて、移動端末機１０２は、段階Ｓ５０４においてユーザーから入力されたキー(例えば、ソフトキー)があるか否かを判別する。段階Ｓ５０４においてユーザーから入力されたキーがあれば、移動端末機１０２は段階Ｓ５０８に進行して、段階Ｓ５０４において入力されたキー入力信号がＥＰＧ出力のためのキーか否かを判別する。ここで、ＥＰＧ出力のためのキーは、ＤＭＢパッケージソフトウェアの作製時に既設定されたキーであることもでき、特定設定メニューを介してユーザーが任意に選択したキーであることもできる。
【００８０】
続いて、段階Ｓ５０８において、段階Ｓ５０４において入力されたキーがＥＰＧ出力のためのキーと判断される場合、移動端末機１０２は、段階Ｓ５１２において、段階Ｓ５０２において受信したＥＰＧデータをＤＭＢパッケージソフトウェアを介してパッシングする。また、移動端末機１０２は、段階Ｓ５１４においてパッシングされたＥＰＧデータを表示部２５６に画像情報として出力する。
【００８１】
本発明の実施形態によるＤＭＢパッケージ１００は、移動端末機１０２がＥＰＧデータを画像情報として出力するようにする。これにより、ユーザーは、通常の移動端末機によってもＥＰＧデータの提供を受けることができる。図５ではＥＰＧデータが出力されることのみを例としたが、ＤＭＢパッケージソフトウェアがＤＭＢの情報データをパッシングしこれを画像情報として出力できる機能を具備していれば、これと類似な過程により情報データを画像情報としてユーザーに提供することができる。すなわち、ＤＭＢパッケージ１００は、データカルーセル２２２からユーザーが選択したチャンネルの情報データを受信してこれを移動端末機１０２に入力する。キー入力がある場合、移動端末機１０２がキー入力が情報データの出力を指示するキーであることを確認すれば、移動端末機１０２は、入力された情報データをＤＭＢパッケージソフトウェアを用いて画像情報として出力する。これにより、本発明の実施形態では、ＤＭＢデータの情報データもユーザーに提供することができる。
【００８２】
一方、前述した本発明の説明では具体的な実施形態について説明したが、本発明から逸脱しない範囲内で多様に変形・実施できる。特に、本発明の実施形態では、移動端末機の例としてＰＤＡ、携帯電話、ノートブックＰＣを挙げたが、本発明はこれに限るものではない。また、本発明の実施形態によるＤＭＢパッケージが移動端末機からデータ変換形式に関する情報を確認し、これによりＤＭＢデータのビデオデータ及びオーディオデータを変換する例を挙げた。しかし、移動端末機が多様な形式のビデオデータ及びオーディオデータ変換が可能な場合、ＤＭＢパッケージが移動端末機を介して提供する設定メニューにより、ユーザーが多様な形式のビデオデータ及びオーディオデータ形式の何れかを選択することができる。
【００８３】
また、本発明の実施形態によるＤＭＢパッケージ１００にプレミアム(Premium)チャンネル視聴サービスを提供することができる。ここで、プレミアムチャンネルとは、ＤＭＢ加入者が視聴できる一般チャンネルとは異なり、加入者の趣向によって所望のチャンネルのみを別途に有料加入を通して視聴できるチャンネル、すなわち有料チャンネルや特定有料放送プログラムなどを含むチャンネルをいう。仮に、特定プレミアムチャンネルに有料加入されていないユーザーがプレミアムチャンネルを選択すれば、本発明の実施形態によるＤＭＢパッケージ１００は、現在ユーザーがプレミアムサービスに加入されていないことを報知することができる。このとき、ＤＭＢパッケージ１００は、これを報知するデータを移動端末機１０２に印加し、移動端末機１０２はポップアップ(Pop-Up)窓を表示部にディスプレイして、これをユーザーに報知することができる。また、ポップアップ窓は、プレミアムサービスの加入意思をユーザーに確認する内容のメッセージを含むことができる。仮に、ユーザーがプレミアムサービスに加入すれば、本発明の実施形態によるＤＭＢパッケージは、プレミアムサービスに該当する放送チャンネルのＤＭＢデータを受信してこれを再生できる。よって、本発明の範囲は、前述の実施形態に限定されるものではなく、特許請求の範囲の記載及びこれと均等なものに基づいて定められるべきである。
【図面の簡単な説明】
【００８４】
【図１】（ａ）及び（ｂ）は本発明の実施形態によるＤＭＢパッケージの例示図である。
【図２Ａ】本発明の実施形態によるＤＭＢパッケージのブロック構成図である。
【図２Ｂ】本発明の実施形態によるＤＭＢパッケージに連結される一般の移動端末機のブロック構成図である。
【図３】本発明の実施形態によるＤＭＢパッケージを用いて、一般の移動端末機においてＤＭＢを再生する動作を示すフローチャートである。
【図４Ａ】本発明の実施形態によるＤＭＢパッケージが、移動端末機にＤＭＢパッケージソフトウェアを設ける動作を示すフローチャートである。
【図４Ｂ】本発明の実施形態によるＤＭＢパッケージが、移動端末機のマルチメディア再生資源に従って変換するメディアデータの形式を決定する動作を示すフローチャートである。
【図５】本発明の実施形態によるＤＭＢパッケージソフトウェアが、チャンネル別放送プログラム情報をパッシング及び出力できる機能を備えた場合、チャンネル別放送プログラム情報がユーザーに提供される動作を示すフローチャートである。
【符号の説明】
【００８５】
１００      ＤＭＢパッケージ
１０２      移動端末機
２００      ＤＭＢパッケージ制御部
２０２      ＤＭＢパッケージメモリ部
２０６      ＤＭＢ信号解析部
２０８      制御データパッシング部
２１０      ＤＭＢパッケージソフトウェア設置判別部
２１２      ＤＭＢデータ変換部
２１４      チャンネル設定部
２１６      ＤＭＢパッケージインターフェース部
２２６      電源キー入力部
２２８      データ変換可否確認部
２５０      端末機制御部
２５２      端末機メモリ部
２５４      キー入力部
２５６      表示部
２６２      コーデック
２６４      増幅部
２６６      端末機インターフェース部
【図１】
0004728188.tif 000002
【図２Ａ】
0004728188.tif 000003
【図２Ｂ】
0004728188.tif 000004
【図３】
0004728188.tif 000005
【図４Ａ】
0004728188.tif 000006
【図４Ｂ】
0004728188.tif 000007
【図５】
0004728188.tif 000008